【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
ツリー表示可能なクライアント端末とサーバとが通信可能な情報処理システムであって、
前記クライアント端末は、
対象オブジェクトが選択される毎に当該選択された対象オブジェクトに対応するＳＱＬ文の発行要求を行うプログラムを含むツリー表示画面データを用いて、ツリー表示画面を表示する制御を行う表示制御手段と、
前記表示制御手段により表示されたツリー表示画面を介して、ユーザ操作により対象オブジェクトが選択されたかを判定する判定手段と、
前記判定手段による判定の結果、対象オブジェクトが選択されたと判定された場合、当該選択された対象オブジェクトに対応するＳＱＬ文の発行要求を前記サーバへ行う要求手段とを備え、
前記サーバは、
データベースへ発行するＳＱＬ文が記憶される記録媒体を管理する管理手段と、
前記要求手段による前記ＳＱＬ文の発行要求に従って、前記管理手段により管理される前記記録媒体に記憶されている前記発行要求に対応するＳＱＬ文をデータベースに対して発行する処理を行う処理手段と、
前記処理手段による処理の結果として前記データベースから得られる処理結果を前記クライアント端末へ送信する送信手段とを備え、
前記表示制御手段は、前記サーバの送信手段により送信された処理結果の前記ツリー表示画面を表示することを特徴とする情報処理システム。
【請求項２】
前記クライアント端末の前記表示制御手段は、前記サーバの送信手段により送信された処理結果を用いて、前記ツリー表示画面を更新して表示することを特徴とする請求項１に記載の情報処理システム。
【請求項３】
前記サーバは、
前記処理手段による処理の結果として前記データベースから得られる処理結果を、ツリー画面を表示する画面データに当てはめる当てはめ手段を更に備え、
前記サーバの前記送信手段は、前記当てはめ手段により当てはめられた画面データを前記クライアント端末へ送信し、
前記クライアント端末の前記表示制御手段は、前記サーバの送信手段により送信される画面データを用いて、ツリー表示画面を表示することを特徴とする請求項１に記載の情報処理システム。
【請求項４】
前記サーバまたは開発者端末は、
ツリー表示をするためのＳＱＬ文の設定を受け付ける第一の設定受付手段と、
前記第一の設定受付手段により受け付けた設定内容を前記サーバへ登録する要求に従って、当該設定内容を登録する指示を前記サーバに行う登録指示手段とを備え、
前記サーバの管理手段は、前記登録指示手段に従って、前記記録媒体に記憶されたＳＱＬ文を管理することを特徴とする請求項１乃至３のいずれか１項に記載の情報処理システム。
【請求項５】
前記サーバまたは開発者端末は、
ツリー表示することにより表示されるフォルダが選択された場合、当該フォルダの内容を表示するテーブルにデータを表示するためのＳＱＬ文の設定を受け付ける第二の設定受付手段とを備え、
前記登録指示手段は、前記第二の設定受付手段により受け付けた設定内容を前記サーバへ登録する要求に従って、当該設定内容を登録する指示を前記サーバに行うことを特徴とする請求項４に記載の情報処理システム。
【請求項６】
前記クライアント端末の判定手段によりツリー表示を更新する対象オブジェクトが選択されたと判定された場合、前記クライアント端末の前記要求手段は、ツリー表示を更新すべく、当該選択されたオブジェクトを示す情報を用いたＳＱＬ文の発行要求を前記サーバへ行い、
前記サーバの処理手段は、前記管理手段により管理される前記記録媒体に記憶されている前記発行要求に対応するＳＱＬ文に前記選択されたオブジェクトを示す情報を代入したＳＱＬ文をデータベースに対して発行する処理を行うことを特徴とする請求項１乃至５のいずれか１項に記載の情報処理システム。
【請求項７】
前記ツリー表示画面データには、前記処理結果を表示するためのテーブルデータが含まれ、
前記クライアント端末の前記判定手段により対象オブジェクトとしてフォルダが選択されたと判定された場合、前記クライアント端末の前記要求手段は、フォルダの内容を表示すべく、当該選択されたオブジェクトを示す情報を用いたＳＱＬ文の発行要求を前記サーバへ行い、
前記サーバの処理手段は、前記管理手段により管理される前記記録媒体に記憶されている前記発行要求に対応するＳＱＬ文に前記選択されたオブジェクトを示す情報を代入したＳＱＬ文をデータベースに対して発行する処理を行うことを特徴とする請求項１乃至６のいずれか１項に記載の情報処理システム。
【請求項８】
前記ツリー表示画面データに含まれるプログラムは対象オブジェクトとして一つのフォルダが選択された場合に複数のＳＱＬ文の発行要求を行うものであり、
前記クライアント端末の前記判定手段により対象オブジェクトとしてフォルダが選択されたと判定された場合、前記クライアント端末の前記要求手段は、フォルダの内容を表示すべく、当該選択されたオブジェクトを示す情報を用いた複数のＳＱＬ文の発行要求を前記サーバへ行い、
前記サーバの処理手段は、前記管理手段により管理される前記記録媒体に記憶されている前記発行要求に対応するＳＱＬ文に前記選択されたオブジェクトを示す情報を代入した複数のＳＱＬ文をデータベースに対して発行する処理を行うことを特徴とする請求項７に記載の情報処理システム。
【請求項９】
ツリー表示可能なクライアント端末とサーバとが通信可能な情報処理システムにおける情報処理方法であって、
前記クライアント端末は、
対象オブジェクトが選択される毎に当該選択された対象オブジェクトに対応するＳＱＬ文の発行要求を行うプログラムを含むツリー表示画面データを用いて、ツリー表示画面を表示する制御を行う表示制御ステップと、
前記表示制御ステップにより表示されたツリー表示画面を介して、ユーザ操作により対象オブジェクトが選択されたかを判定する判定ステップと、
前記判定ステップによる判定の結果、対象オブジェクトが選択されたと判定された場合、当該選択された対象オブジェクトに対応するＳＱＬ文の発行要求を前記サーバへ行う要求ステップとを含み、
前記サーバは、
データベースへ発行するＳＱＬ文が記憶される記録媒体を管理する管理ステップと、
前記要求ステップによる前記ＳＱＬ文の発行要求に従って、前記管理ステップにより管
理される前記記録媒体に記憶されている前記発行要求に対応するＳＱＬ文をデータベース
に対して発行する処理を行う処理ステップと、
前記処理ステップによる処理の結果として前記データベースから得られる処理結果を前記クライアント端末へ送信する送信ステップとを含み、
前記表示制御ステップは、前記サーバの送信ステップにより送信された処理結果の前記ツリー表示画面を表示することを特徴とする情報処理方法。
【請求項１０】
ツリー表示可能なクライアント端末とサーバとが通信可能な情報処理システムにおいて実行可能なプログラムであって、
前記クライアント端末を、
対象オブジェクトが選択される毎に当該選択された対象オブジェクトに対応するＳＱＬ文の発行要求を行うプログラムを含むツリー表示画面データを用いて、ツリー表示画面を表示する制御を行う表示制御手段、
前記表示制御手段により表示されたツリー表示画面を介して、ユーザ操作により対象オブジェクトが選択されたかを判定する判定手段、
前記判定手段による判定の結果、対象オブジェクトが選択されたと判定された場合、当該選択された対象オブジェクトに対応するＳＱＬ文の発行要求を前記サーバへ行う要求手段として機能させ、
前記サーバを、
データベースへ発行するＳＱＬ文が記憶される記録媒体を管理する管理手段、
前記要求手段による前記ＳＱＬ文の発行要求に従って、前記管理手段により管理される前記記録媒体に記憶されている前記発行要求に対応するＳＱＬ文をデータベースに対して発行する処理を行う処理手段、
前記処理手段による処理の結果として前記データベースから得られる処理結果を前記クライアント端末へ送信する送信手段として機能させ、
前記表示制御手段は、前記サーバの送信手段により送信された処理結果の前記ツリー表示画面を表示することを特徴とするプログラム。
【請求項１１】
対象オブジェクトが選択される毎に当該選択された対象オブジェクトに対応するＳＱＬ文の発行要求を行うプログラムを含むツリー表示画面データを用いて、ツリー表示画面を表示する制御を行う表示制御手段と、前記表示制御手段により表示されたツリー表示画面を介して、ユーザ操作により対象オブジェクトが選択されたかを判定する判定手段と、前記判定手段による判定の結果、対象オブジェクトが選択されたと判定された場合、当該選択された対象オブジェクトに対応するＳＱＬ文の発行要求を情報処理装置へ行う要求手段とを備えるツリー表示可能なクライアント端末と通信可能な情報処理装置であって、
データベースへ発行するＳＱＬ文が記憶される記録媒体を管理する管理手段と、
前記クライアント端末の要求手段による前記ＳＱＬ文の発行要求に従って、前記管理手段により管理される前記記録媒体に記憶されている前記発行要求に対応するＳＱＬ文をデータベースに対して発行する処理を行う処理手段と、
前記処理手段による処理の結果として前記データベースから得られる処理結果を、前記クライアント端末においてツリー表示させるべく、前記クライアント端末へ送信する送信手段と
を備えること特徴とする情報処理装置。
【請求項１２】
対象オブジェクトが選択される毎に当該選択された対象オブジェクトに対応するＳＱＬ文の発行要求を行うプログラムを含むツリー表示画面データを用いて、ツリー表示画面を表示する制御を行う表示制御手段と、前記表示制御手段により表示されたツリー表示画面を介して、ユーザ操作により対象オブジェクトが選択されたかを判定する判定手段と、前記判定手段による判定の結果、対象オブジェクトが選択されたと判定された場合、当該選択された対象オブジェクトに対応するＳＱＬ文の発行要求を情報処理装置へ行う要求手段とを備えるツリー表示可能なクライアント端末と通信可能な情報処理装置における情報処理方法であって、
データベースへ発行するＳＱＬ文が記憶される記録媒体を管理する管理ステップと、
前記クライアント端末の要求手段による前記ＳＱＬ文の発行要求に従って、前記管理ステップにより管理される前記記録媒体に記憶されている前記発行要求に対応するＳＱＬ文をデータベースに対して発行する処理を行う処理ステップと、
前記処理ステップによる処理の結果として前記データベースから得られる処理結果を、前記クライアント端末においてツリー表示させるべく、前記クライアント端末へ送信する送信ステップと
を含むこと特徴とする情報処理方法。
【請求項１３】
対象オブジェクトが選択される毎に当該選択された対象オブジェクトに対応するＳＱＬ文の発行要求を行うプログラムを含むツリー表示画面データを用いて、ツリー表示画面を表示する制御を行う表示制御手段と、前記表示制御手段により表示されたツリー表示画面を介して、ユーザ操作により対象オブジェクトが選択されたかを判定する判定手段と、前記判定手段による判定の結果、対象オブジェクトが選択されたと判定された場合、当該選択された対象オブジェクトに対応するＳＱＬ文の発行要求を情報処理装置へ行う要求手段とを備えるツリー表示可能なクライアント端末と通信可能な情報処理装置において実行可能なプログラムであって、
データベースへ発行するＳＱＬ文が記憶される記録媒体を管理する管理手段、
前記クライアント端末の要求手段による前記ＳＱＬ文の発行要求に従って、前記管理手段により管理される前記記録媒体に記憶されている前記発行要求に対応するＳＱＬ文をデータベースに対して発行する処理を行う処理手段、
前記処理手段による処理の結果として前記データベースから得られる処理結果を、前記クライアント端末においてツリー表示させるべく、前記クライアント端末へ送信する送信手段
として前記情報処理装置を機能させることを特徴とするプログラム。
【手続補正２】
【補正対象書類名】明細書
【補正対象項目名】発明の名称
【補正方法】変更
【補正の内容】
【発明の名称】情報処理システム、およびその情報処理方法、そのプログラム、並びに情報処理装置、およびその情報処理方法、そのプログラム